(57)【要約】【課題】  高ズーム比であり、全ズーム範囲において高い光学性能を有し、撮像装置に適用した際に撮像装置の厚さを薄くすることができるズームレンズを得ること。【解決手段】  物体側より像側へ順に、正の屈折力の第１レンズ群、負の屈折力の第２レンズ群、光路を折り曲げるための反射部材、複数のレンズ群を含む後群より構成され、広角端から望遠端へのズーミングに際し、少なくとも第１レンズ群及び第２レンズ群が移動し、前記反射部材は不動であるズームレンズにおいて、望遠端における全系の焦点距離ｆｔ、第２レンズ群の焦点距離ｆ２をそれぞれ適切に設定すること。【選択図】  図１
2014109664.tif 000002
【特許請求の範囲】
【請求項１】
物体側より像側へ順に、正の屈折力の第１レンズ群、負の屈折力の第２レンズ群、光路を折り曲げるための反射部材、複数のレンズ群を含む後群より構成され、広角端から望遠端へのズーミングに際し、少なくとも前記第１レンズ群及び前記第２レンズ群が移動し、前記反射部材は不動であり、
望遠端における全系の焦点距離をｆｔ、前記第２レンズ群の焦点距離をｆ２としたとき、
１７．００＜ｆｔ／｜ｆ２｜＜３０．００
なる条件式を満足することを特徴とするズームレンズ。
【請求項２】
前記反射部材は、沈胴収納時に撮影状態とは異なる位置に移動し、前記反射部材の移動によって生じた空間に、前記第１レンズ群及び前記第２レンズ群の少なくとも一部が沈胴収納されることを特徴とする請求項１に記載のズームレンズ。
【請求項３】
前記第１レンズ群の焦点距離をｆ１としたとき、
４．００＜ｆｔ／ｆ１＜７．００
なる条件式を満足することを特徴とする請求項１または２に記載のズームレンズ。
【請求項４】
前記後群の中で最も物体側に位置するレンズ群を第３レンズ群として、
広角端における、前記第２レンズ群の最も像側の面と前記第３レンズ群の最も物体側の面との間隔をＤ２３ｗ、望遠端における、前記第２レンズ群の最も像側の面と前記第３レンズ群の最も物体側の面との間隔をＤ２３ｔとしたとき、
１．００＜Ｄ２３ｗ／Ｄ２３ｔ＜３．００
なる条件式を満足することを特徴とする請求項１乃至３のいずれか１項に記載のズームレンズ。
【請求項５】
広角端における前記第２レンズ群の横倍率をβ２ｗ、望遠端における前記第２レンズ群の横倍率をβ２ｔとしたとき、
１５．００＜β２ｔ／β２ｗ＜４０．００
なる条件式を満足することを特徴とする請求項１乃至４のいずれか１項に記載のズームレンズ。
【請求項６】
前記後群の中で最も物体側に位置するレンズ群を第３レンズ群として、前記第３レンズ群の焦点距離をｆ３としたとき、
７．００＜｜ｆ３｜／｜ｆ２｜＜１２．００
なる条件式を満足することを特徴とする請求項１乃至５のいずれか１項に記載のズームレンズ。
【請求項７】
前記後群は物体側より像側へ順に、第３レンズ群、第４レンズ群を有し、前記第３レンズ群の焦点距離をｆ３、前記第４レンズ群の焦点距離をｆ４としたとき、
２．５０＜｜ｆ３｜／ｆ４＜５．００
なる条件式を満足することを特徴とする請求項１乃至６のいずれか１項に記載のズームレンズ。
【請求項８】
前記後群の中で最も物体側に位置するレンズ群を第３レンズ群として、前記第３レンズ群の焦点距離をｆ３としたとき、
１．７０＜ｆｔ／｜ｆ３｜＜５．００
なる条件式を満足することを特徴とする請求項１乃至７のいずれか１項に記載のズームレンズ。
【請求項９】
広角端から望遠端へのズーミングの際の前記第１レンズ群の移動量をＭ１としたとき、
９．００＜ｆｔ／Ｍ１＜１６．００
なる条件式を満足することを特徴とする請求項１乃至８のいずれか１項に記載のズームレンズ。
【請求項１０】
広角端から望遠端へのズーミングの際の前記第２レンズ群の移動量をＭ２としたとき、
１３．００＜ｆｔ／Ｍ２＜２３．００
なる条件式を満足することを特徴とする請求項１乃至９のいずれか１項に記載のズームレンズ。
【請求項１１】
広角端から望遠端へのズーミングの際の前記第１レンズ群、前記第２レンズ群の移動量をそれぞれＭ１、Ｍ２としたとき、
１．２０＜Ｍ１／Ｍ２＜１．７０
なる条件式を満足することを特徴とする請求項１乃至１０のいずれか１項に記載のズームレンズ。
【請求項１２】
最も像側に位置するレンズ群を移動させることにより、無限遠物体から近距離物体へのフォーカシングを行うことを特徴とする請求項１乃至１１のいずれか１項に記載のズームレンズ。
【請求項１３】
前記後群は物体側から像側へ順に、負の屈折力の第３レンズ群、正の屈折力の第４レンズ群、正の屈折力の第５レンズ群より構成されることを特徴とする請求項１乃至１２のいずれか１項に記載のズームレンズ。
【請求項１４】
前記後群は物体側から像側へ順に、負の屈折力の第３レンズ群、正の屈折力の第４レンズ群、負の屈折力の第５レンズ群、正の屈折力の第６レンズ群より構成されることを特徴とする請求項１乃至１２のいずれか１項に記載のズームレンズ。
【請求項１５】
請求項１乃至１４のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えば電子スチルカメラやビデオカメラ、放送用カメラ、監視カメラ等のような固体撮像素子を用いた撮像装置、或いは銀塩写真フィルムを用いたカメラ等の撮像装置に好適なものである。
【背景技術】
【０００２】
近年、撮像装置（カメラ）に用いられるズームレンズは、高ズーム比で小型であることが求められており、特に撮像装置に適用した際に、撮像装置の厚さを薄くすることができるものであることが要求されている。撮像装置を小型化しつつ、高ズーム比を実現させるために、非撮影時には各レンズ群の間隔を撮影状態とは異なる間隔まで縮小して、撮影光学系を撮像装置の筐体内に収納する、沈胴式のズームレンズが知られている。また、撮像装置の厚さを薄くするために、光路中に反射プリズムを配置して撮影光学系の光軸を９０°折り曲げる、屈曲系のズームレンズが知られている。
【０００３】
さらに、沈胴式と屈曲式の複合方式として、非撮影時に反射プリズムが移動し、反射プリズムの移動により生じた空間に、反射プリズムより物体側に位置するレンズ群が沈胴して収納される屈曲沈胴式のズームレンズが知られている（特許文献１、２、３）。
【先行技術文献】
【特許文献】
【０００４】
【特許文献１】特開２０１０−１５２３１８号公報
【特許文献２】特開２０１１−０５３２９５号公報
【特許文献３】特開２０１２−０２７０８４号公報
【発明の概要】
【発明が解決しようとする課題】
【０００５】
一般に高ズーム比を有しつつ、全系の小型化を達成したズームレンズを得るためには、ズームレンズを構成する各レンズ群の屈折力（光学的パワー、つまり焦点距離の逆数）を強めつつ、レンズ枚数を削減すればよい。しかし、こうしたズームレンズは、各レンズの屈折力が強くなるためにコバ厚を大きくする必要が生じる。その結果、レンズの肉厚や前玉径が増大し、レンズ全長を短縮することが難しくなる。
【０００６】
また、高ズーム比を実現し、かつレンズ系全体の小型化を図るには、各レンズ群のズーミングに伴う移動条件を適切に設定することも重要である。さらに、光路を屈曲させる反射部材（反射プリズムや反射ミラー）を用いることにより撮像装置の厚さを薄くすることもできる。しかし、ズーミングの際の各レンズ群の移動量や、光路中の反射部材の配置が適切でないと、ズーミングに伴う諸収差の変動が大きくなり、さらには撮像装置の小型化を実現することができない。
【０００７】
本発明は、高ズーム比であり、全ズーム範囲において高い光学性能が得られ、撮像装置に適用した際に撮像装置の厚さを薄くすることができるズームレンズ及びそれを用いた撮像装置を提供することを目的とする。
【課題を解決するための手段】
【０００８】
本発明のズームレンズは、物体側より像側へ順に、正の屈折力の第１レンズ群、負の屈折力の第２レンズ群、光路を折り曲げるための反射部材、複数のレンズ群を含む後群より構成され、広角端から望遠端へのズーミングに際し、少なくとも第１レンズ群及び第２レンズ群が移動し、反射部材は不動であり、
望遠端における全系の焦点距離をｆｔ、第２レンズ群の焦点距離をｆ２としたとき、
１７．００＜ｆｔ／｜ｆ２｜＜３０．００
なる条件式を満足することを特徴としている。
【発明の効果】
【０００９】
本発明によれば、高ズーム比であり、全ズーム範囲において高い光学性能を有し、撮像装置に適用した際に撮像装置の厚さを薄くすることができるズームレンズが得られる。
【図面の簡単な説明】
【００１０】
【図１】実施例１のズームレンズの光路を展開したときの広角端におけるレンズ断面図
【図２】（Ａ）、（Ｂ）、（Ｃ）は実施例１のズームレンズの広角端、中間のズーム位置、望遠端における収差図
【図３】実施例２のズームレンズの光路を展開したときの広角端におけるレンズ断面図
【図４】（Ａ）、（Ｂ）、（Ｃ）は実施例２のズームレンズの広角端、中間のズーム位置、望遠端における収差図
【図５】実施例３のズームレンズの光路を展開したときの広角端におけるレンズ断面図
【図６】（Ａ）、（Ｂ）、（Ｃ）は実施例３のズームレンズの広角端、中間のズーム位置、望遠端における収差図
【図７】実施例４のズームレンズの光路を展開したときの広角端におけるレンズ断面図
【図８】（Ａ）、（Ｂ）、（Ｃ）は実施例４のズームレンズの広角端、中間のズーム位置、望遠端における収差図
【図９】実施例５のズームレンズの光路を展開したときの広角端におけるレンズ断面図
【図１０】（Ａ）、（Ｂ）、（Ｃ）は実施例５のズームレンズの広角端、中間のズーム位置、望遠端における収差図
【図１１】本発明の実施例１のズームレンズのレンズ断面図
【図１２】本発明の撮像装置の要部概略図
【発明を実施するための形態】
【００１１】
以下、本発明の各実施例のズームレンズ及びそれを有する撮像装置について説明する。本発明の各実施例のズームレンズは、物体側より像側へ順に、正の屈折力の第１レンズ群、負の屈折力の第２レンズ群、光学系の光軸を９０度（９０度±１０度以内であればよい）折り曲げる反射プリズムを有している。さらに反射プリズムより像側に複数のレンズ群を含む後群を備えている。広角端（短焦点距離端）から望遠端（長焦点距離端）へのズーミングに際して、第１レンズ群は物体側へ移動し、第２レンズ群は像側へ移動する。沈胴収納時には撮影時とは異なる位置に反射プリズムが移動し、反射プリズムの移動によって生じた空間に、第１レンズ群及び第２レンズ群の少なくとも一部が沈胴収納される。
【００１２】
実施例１〜実施例３のズームレンズでは、後群は、物体側より像側へ順に、負の屈折力の第３レンズ群、正の屈折力の第４レンズ群、負の屈折力の第５レンズ群、正の屈折力の第６レンズ群より構成される。広角端から望遠端へのズーミングの際に、第３レンズ群は不動であり、第４、第５、第６レンズ群はそれぞれ移動する。
【００１３】
実施例４、実施例５のズームレンズでは、後群は、物体側より像側へ順に、負の屈折力の第３レンズ群、正の屈折力の第４レンズ群、正の屈折力の第５レンズ群より構成される。広角端から望遠端へのズーミングの際に、第３レンズ群は不動であり、第４、第５レンズ群はそれぞれ移動する。
【００１４】
図１は実施例１のズームレンズの光路を展開したときの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比４４．４、開口比３．９１〜９．００程度のズームレンズである。
【００１５】
図３は実施例２のズームレンズの光路を展開したときの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３０．２、開口比３．５１〜７．１０程度のズームレンズである。
【００１６】
図５は実施例３のズームレンズの光路を展開したときの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比３６．６、開口比３．６２〜７．１０程度のズームレンズである。
【００１７】
図７は実施例４のズームレンズの光路を展開したときの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比４４．２、開口比３．９１〜９．００程度のズームレンズである。
【００１８】
図９は実施例５のズームレンズの光路を展開したときの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比３０．２、開口比３．５１〜６．８９程度のズームレンズである。
【００１９】
図１１は、本発明の実施例１において反射プリズムに設けた内面反射面で光路を折り曲げたときのレンズ断面図である。
【００２０】
図１２は本発明のズームレンズを備えるデジタルスチルカメラの要部概略図である。各実施例のズームレンズはビデオカメラやデジタルスチルカメラ、銀塩フィルムカメラ、テレビカメラ等の撮像装置に用いられる撮像レンズ系である。なお、各実施例のズームレンズは投射装置（プロジェクタ）用の投射光学系としても用いることができる。レンズ断面図において左方が物体側（前方）で、右方が像側（後方）である。また、レンズ断面図において、ｉを物体側からのレンズ群の順番とするとＬｉは第ｉレンズ群を示す。
【００２１】
各実施例のレンズ断面図において、ＳＰは開口絞り、ＦＰはフレアカット絞りであり、Ｇは光学フィルター、フェースプレート、ローパスフィルター、赤外カットフィルター等に相当する光学ブロックである。開口絞りＳＰ、フレアカット絞りＦＰは第４レンズ群Ｌ４内に配置され、ズーミングの際に第４レンズ群Ｌ４と同一の軌跡を描いて移動する。
【００２２】
ＰＲは光学系の光軸を９０度（９０度±１０度以内であればよい）折り曲げる反射面を含む反射プリズムであり、ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。レンズ断面図中の矢印は広角端から望遠端へのズーミング又はフォーカシングの際の各レンズ群の移動軌跡を示している。
【００２３】
球面収差図においてＦｎｏはＦナンバーである。また実線はｄ線（波長５８７．６ｎｍ）、２点鎖線はｇ線（波長４３５．８ｎｍ）である。非点収差図において実線はｄ線におけるサジタル像面、点線はメリディオナル像面である。歪曲収差はｄ線について示している。倍率色収差図において２点鎖線はｇ線である。ωは撮像半画角である。なお、以下の各実施例において広角端と望遠端はそれぞれ、変倍用のレンズ群が機構上、光軸上を移動可能な範囲の両端に位置したときの各ズーム位置をいう。
【００２４】
各実施例では、最も像側に位置するレンズ群を非直線的に移動させることにより、ズーミングに伴う像面変動を補正している。また、最も像側に位置するレンズ群を光軸方向に移動させることでフォーカシングを行う。望遠端において無限遠物体から近距離物体へフォーカスを行う場合には、レンズ断面図中の矢印５ｃ、６ｃに示すように、最も像側に位置するレンズ群を前方に繰り出すことによって行っている。曲線５ａ、６ａは、無限遠物体にフォーカスしているときの、広角端から望遠端へのズーミングに伴う像面変動を補正するための移動軌跡を示す。曲線５ｂ、６ｂは近距離物体にフォーカスしているときの、広角端から望遠端へのズーミングに伴う像面変動を補正するための移動軌跡を示す。
【００２５】
また、各実施例では、広角端から望遠端へのズーミングに際し、最も像側に位置するレンズ群を極力像面ＩＰに近付けることにより、最も像側に位置するレンズ群の変倍負担を高めている。さらに、第２レンズ群Ｌ２の屈折力を強くすることにより、第２レンズ群Ｌ２の変倍負担を高めている。第２レンズ群、最も像側に位置するレンズ群の変倍負担を高めることにより、第１レンズ群Ｌ１の変倍負担が相対的に低くなり、第１レンズ群Ｌ１の物体側への移動量を減少させることができる。その結果、レンズ全長の大型化を抑制することができる。
【００２６】
さらに、各実施例においては、第４レンズ群Ｌ４の全部または一部を光軸に対して垂直方向の成分を持つように移動させて、ズームレンズが振動したときの撮影画像のブレを補正するようにしても良い。
【００２７】
各実施例において、望遠端における全系の焦点距離をｆｔ、第２レンズ群Ｌ２の焦点距離をｆ２としたとき、
１７．００＜ｆｔ／｜ｆ２｜＜３０．００…（１）
なる条件式を満足している。
【００２８】
条件式（１）は第２レンズ群Ｌ２の焦点距離ｆ２と望遠端における全系の焦点距離ｆｔとの比を規定したものである。条件式（１）の上限値を超えて第２レンズ群Ｌ２の焦点距離の絶対値｜ｆ２｜が小さくなると、主に広角端において像面湾曲、倍率色収差の補正が難しくなり、また、ズーミングに伴う像面の変動を抑制することが困難になる。さらに、変倍に大きく寄与する第２レンズ群Ｌ２の屈折力が強くなるため、各レンズ群の傾きや平行偏芯敏感度が高くなる。その結果、カメラの組み立て時や撮影時に、メカ部品のガタ等により偏芯が生じやすくなり、良好な光学性能を得ることが難しくなる。
【００２９】
条件式（１）の下限値を超えて第２レンズ群Ｌ２の焦点距離の絶対値｜ｆ２｜が大きくなると、高ズーム比を実現するために第２レンズ群Ｌ２の移動量を増やす必要が生じる。この結果、レンズ全長が増大し、カメラが大型化するため好ましくない。また、第１レンズ群Ｌ１、第２レンズ群Ｌ２の有効径が増大するため好ましくない。
【００３０】
各実施例では上記の如く、条件式（１）を満足するように各要素を適切に設定している。これにより高ズーム比であり、全ズーム範囲において高い光学性能を有し、撮像装置に適用した際に撮像装置の厚さを薄くすることができるズームレンズが得られる。なお、各実施例において、好ましくは条件式（１）の数値範囲を次のようにするのがよい。
１８．００＜ｆｔ／｜ｆ２｜＜２９．００…（１ａ）
また、さらに好ましくは条件式（１）の数値範囲を次のように設定するのがよい。
１８．５０＜ｆｔ／｜ｆ２｜＜２８．００…（１ｂ）
【００３１】
また、各実施例において、次の条件式のうち１つ以上を満足することが好ましい。ここで、広角端における第２レンズ群Ｌ２の最も像側の面と第３レンズ群Ｌ３の最も物体側の面との間隔をＤ２３ｗ、望遠端における第２レンズ群Ｌ２の最も像側の面と第３レンズ群Ｌ３の最も物体側の面との間隔をＤ２３ｔとする。広角端から望遠端へのズーミングの際の第１レンズ群Ｌ１の移動量をＭ１、広角端から望遠端へのズーミングの際の第２レンズ群Ｌ２の移動量をＭ２とする。移動量とは、広角端と望遠端における各レンズ群の光軸上での位置の差を絶対値で示したものである。そして、広角端における第２レンズ群Ｌ２の横倍率をβ２ｗ、望遠端における第２レンズ群Ｌ２の横倍率をβ２ｔ、第１レンズ群Ｌ１の焦点距離をｆ１、第３レンズ群Ｌ３の焦点距離をｆ３、第４レンズ群Ｌ４の焦点距離をｆ４とする。
【００３２】
このとき、
４．００＜ｆｔ／ｆ１＜７．００…（２）
１．００＜Ｄ２３ｗ／Ｄ２３ｔ＜３．００…（３）
１５．００＜β２ｔ／β２ｗ＜４０．００…（４）
７．００＜｜ｆ３｜／｜ｆ２｜＜１２．００…（５）
２．５０＜｜ｆ３｜／ｆ４＜５．００…（６）
１．７０＜ｆｔ／｜ｆ３｜＜５．００…（７）
９．００＜ｆｔ／Ｍ１＜１６．００…（８）
１３．００＜ｆｔ／Ｍ２＜２３．００…（９）
１．２０＜Ｍ１／Ｍ２＜１．７０…（１０）
なる条件式のうち、１つ以上を満足するのがよい。
【００３３】
条件式（２）は、第１レンズ群Ｌ１の焦点距離ｆ１と望遠端の焦点距離ｆｔとの比を規定したものである。条件式（２）の上限値を超えてｆ１の値が小さくなると、望遠端における球面収差が大きくなり、収差を補正するためのレンズを配置する必要が生じる。レンズの数が増加するとレンズ全長の増大を招くため、好ましくない。条件式（２）の下限値を超えてｆ１の値が大きくなると、望遠端における球面収差は良好に補正することができるが、広角端から望遠端へのズーミングの際に第１レンズ群の移動量が大きくなる。その結果、レンズ全長が増大するため好ましくない。
【００３４】
条件式（３）は、広角端における第２レンズ群Ｌ２の最も像側の面と第３レンズ群Ｌ３の最も物体側の面との間隔Ｄ２３ｗと、望遠端における第２レンズ群Ｌ２の最も像側の面と第３レンズ群Ｌ３の最も物体側の面との間隔Ｄ２３ｔの比を規定したものである。条件式（３）の上限値を超えてＤ２３ｔの値が小さくなると、高ズーム比を実現するために第２レンズ群Ｌ２の屈折力を強くする必要が生じる。その結果、広角端における像面湾曲、倍率色収差の補正が困難になり、また全ズーム領域において、画面周辺の像面の変動を抑制することが難しくなるため、好ましくない。条件式（３）の下限値を超えてＤ２３ｔの値が大きくなると、第２レンズ群Ｌ２の移動量が大きくなり、レンズ全長が増大してしまうため好ましくない。
【００３５】
条件式（４）は、広角端における第２レンズ群Ｌ２の横倍率β２ｗと望遠端における第２レンズ群Ｌ２の横倍率β２ｔとの比を規定したものである。条件式（４）の上限値を超えてβ２ｔの値が大きくなると、第２レンズ群Ｌ２の変倍比が大きくなり、第２レンズ群Ｌ２の屈折力が強くなる。その結果、広角端における像面湾曲、倍率色収差の補正が困難になり、また全ズーム領域において、画面周辺の像面の変動を抑制することが難しくなるため好ましくない。条件式（４）の下限値を超えてβ２ｔの値が小さくなると、第１レンズ群Ｌ１、第２レンズ群Ｌ２の変倍負担が小さくなり、高ズーム比を実現するためには後群の変倍負担を増加させる必要が生じる。その結果、後群の移動量が増加してレンズ全長が増大するため好ましくない。
【００３６】
条件式（５）は、第２レンズ群Ｌ２の焦点距離ｆ２と、第３レンズ群Ｌ３の焦点距離ｆ３との比を規定したものである。条件式（５）の上限値を超えて第２レンズ群Ｌ２の焦点距離の絶対値｜ｆ２｜が小さくなると、第２レンズ群Ｌ２の屈折力が相対的に強くなる。その結果、広角端における像面湾曲や倍率色収差、望遠端における軸上色収差、全ズーム領域における像面の変動を、それぞれ補正することが困難となるため好ましくない。条件式（５）の下限値を超えて第２レンズ群Ｌ２の焦点距離の絶対値｜ｆ２｜が大きくなると、第２レンズ群Ｌ２の屈折力が相対的に弱くなる。その結果、高ズーム比を実現するためには、第２レンズ群Ｌ２の移動量が大きくなり、レンズ全長の増大を招くため好ましくない。
【００３７】
条件式（６）は、第３レンズ群Ｌ３の焦点距離ｆ３と、第４レンズ群Ｌ４の焦点距離ｆ４との比を規定したものである。条件式（６）の上限値を超えて第４レンズ群Ｌ４の焦点距離ｆ４が短くなると、第４レンズ群Ｌ４の屈折力が強くなるためレンズ全長の小型化を実現することができる。しかし、一方で第４レンズ群Ｌ４の屈折力が強くなることにより、全ズーム領域において球面収差やコマ収差の補正が困難となるため好ましくない。条件式（６）の下限値を超えて第４レンズ群Ｌ４の焦点距離ｆ４が長くなると、第４レンズ群Ｌ４の屈折力が弱くなる。その結果、高ズーム比を実現するためには、第４レンズ群Ｌ４の移動量が大きくなり、レンズ全長の増大を招くため好ましくない。
【００３８】
条件式（７）は、第３レンズ群Ｌ３の焦点距離ｆ３と、望遠端における全系の焦点距離ｆｔとの比を規定したものである。条件式（７）の上限値を超えて第３レンズ群Ｌ３の焦点距離の絶対値｜ｆ３｜が小さくなると、第３レンズ群Ｌ３の屈折力が強くなる。その結果、第２レンズ群Ｌ２の屈折力が相対的に弱くなり、高ズーム比を実現するために第２レンズ群Ｌ２の移動量が大きくなり、前玉径が増大するため好ましくない。条件式（７）の下限値を超えて第３レンズ群Ｌ３の焦点距離の絶対値｜ｆ３｜が大きくなると、第３レンズ群Ｌ３の屈折力が弱くなる。その結果、第２レンズ群Ｌ２の屈折力が相対的に強くなり、広角端における像面湾曲や倍率色収差、望遠端における軸上色収差、全ズーム領域における像面変動を、それぞれ補正することが困難となるため好ましくない。
【００３９】
条件式（８）は、広角端から望遠端へのズーミングの際の第１レンズ群Ｌ１の移動量Ｍ１と、望遠端における全系の焦点距離ｆｔとの比を規定したものである。条件式（８）の上限値を超えて第１レンズ群Ｌ１の移動量Ｍ１が小さくなると、高ズームを実現するためには、第１レンズ群Ｌ１の屈折力を強くする必要がある。その結果、前玉有効径が大きくなり、さらに望遠端における球面収差や軸上色収差、全ズーム領域におけるコマ収差を、それぞれ補正することが困難になるため好ましくない。条件式（８）の下限値を超えて第１レンズ群Ｌ１の移動量が大きくなると、望遠端におけるレンズ全長が増大するため好ましくない。
【００４０】
条件式（９）は、広角端から望遠端へのズーミングの際の第２レンズ群Ｌ２の移動量Ｍ２と、望遠端における全系の焦点距離ｆｔとの比を規定したものである。条件式（９）の上限値を超えて第２レンズ群Ｌ２の移動量Ｍ２が小さくなると、高ズームを実現するためには、第２レンズ群Ｌ２の屈折力を強くする必要がある。その結果、広角端における像面湾曲や倍率色収差、望遠端における軸上色収差、全ズーム領域における像面変動を、それぞれ補正することが困難になるため好ましくない。条件式（９）の下限値を超えて第２レンズ群Ｌ２の移動量が大きくなると、望遠端におけるレンズ全長が増大するため好ましくない。
【００４１】
条件式（１０）は、広角端から望遠端へのズーミングの際の第１レンズ群Ｌ１の移動量Ｍ１と、広角端から望遠端へのズーミングの際の第２レンズ群Ｌ２の移動量Ｍ２との比を規定したものである。条件式（１０）の上限値を超えて第２レンズ群Ｌ２の移動量Ｍ２が小さくなると、高ズーム比を実現するためには、第２レンズ群Ｌ２の屈折力を強くする必要がある。その結果、広角端における像面湾曲や倍率色収差、望遠端における軸上色収差、全ズーム領域におけるコマ収差を、それぞれ補正することが困難になるため好ましくない。条件式（１０）の下限値を超えて第１レンズ群Ｌ１の移動量Ｍ１が小さくなると、高ズーム比を実現するためには、第１レンズ群Ｌ１の屈折力を強くする必要がある。その結果、望遠端における球面収差や軸上色収差、全ズーム領域におけるコマ収差を、それぞれ補正することが困難となるため好ましくない。
【００４２】
なお、好ましくは条件式（２）から条件式（１０）の数値範囲を次の如く設定するのがよい。
４．０２＜ｆｔ／ｆ１＜６．５０…（２ａ）
１．５０＜Ｄ２３ｗ／Ｄ２３ｔ＜２．５０…（３ａ）
１５．２０＜β２ｔ／β２ｗ＜３７．００…（４ａ）
７．３０＜｜ｆ３｜／｜ｆ２｜＜１１．５０…（５ａ）
２．７０＜｜ｆ３｜／ｆ４＜４．７０…（６ａ）
１．７３＜ｆｔ／｜ｆ３｜＜４．００…（７ａ）
９．５０＜ｆｔ／Ｍ１＜１５．００…（８ａ）
１４．００＜ｆｔ／Ｍ２＜２２．００…（９ａ）
１．２５＜Ｍ１／Ｍ２＜１．６７…（１０ａ）
【００４３】
また、さらに好ましくは条件式（２）から条件式（１０）の数値範囲を次の如く設定すると、各条件式がもたらす効果を最大限に得られる。
４．０４＜ｆｔ／ｆ１＜６．００…（２ｂ）
１．８０＜Ｄ２３ｗ／Ｄ２３ｔ＜２．００…（３ｂ）
１５．３０＜β２ｔ／β２ｗ＜３５．００…（４ｂ）
７．６０＜｜ｆ３｜／｜ｆ２｜＜１１．００…（５ｂ）
２．９０＜｜ｆ３｜／ｆ４＜４．６０…（６ｂ）
１．７５＜ｆｔ／｜ｆ３｜＜３．５０…（７ｂ）
９．９０＜ｆｔ／Ｍ１＜１４．５０…（８ｂ）
１４．２０＜ｆｔ／Ｍ２＜２１．８０…（９ｂ）
１．２８＜Ｍ１／Ｍ２＜１．６５…（１０ｂ）
【００４４】
各実施例では以上のように各要素を構成することにより、高ズーム比であり、全ズーム範囲において高い光学性能が得られ、撮像装置に適用した際に撮像装置の厚さを薄くすることができるズームレンズが得られる。また、以上の条件式は任意に複数組み合わせることにより、さらに本発明の効果を高めることができる。
【００４５】
次に、各実施例のレンズ構成について説明する。各レンズは特に断りがない限り、物体側から像側へ順に配置されている。各実施例において第１レンズ群Ｌ１、第２レンズ群Ｌ２、第３レンズ群Ｌ３の構成は共通する。正の屈折力の第１レンズ群Ｌ１は、物体側に凸面を向けたメニスカス形状の負レンズと正レンズとの接合レンズ、物体側に凸面を向けたメニスカス形状の正レンズより構成している。第１レンズ群Ｌ１を３枚のレンズで構成することにより、高ズーム比を実現しつつ、球面収差、軸上色収差および倍率色収差の補正を良好に行っている。
【００４６】
負の屈折力の第２レンズ群Ｌ２は、物体側より像側へ順に両面が凹面の負レンズと、両面が凹面の負レンズ、両面が凸面の正レンズより構成しており、ズーミングに伴う収差変動を抑制している。このような構成により、ズーミングに伴う倍率色収差の変動を抑制することができる。負の屈折力の第３レンズ群Ｌ３は、物体側に凹面を向けたメニスカス形状の負レンズより構成している。第４レンズ群Ｌ４は、少なくとも１枚の負レンズと、少なくとも２枚の正レンズを有している。これにより、全てのズーム領域において球面収差やコマ収差を良好に補正している。また、第４レンズ群Ｌ４は、少なくとも１以上の面を非球面形状としている。これにより、ズーミングに伴う球面収差の変動を良好に補正している。
【００４７】
最終レンズ群は、正レンズと負レンズの接合レンズを有している。これにより、ズーミングに伴う倍率色収差の変動を抑制することができる。
【００４８】
実施例１乃至３のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６から成る。
【００４９】
実施例１のズームレンズでは、第４レンズ群Ｌ４は、物体側に凸面を向けたメニスカス形状の正レンズと、像側に凹面を向けたメニスカス形状の負レンズと、像側に凹面を向けたメニスカス形状の負レンズと両凸形状の正レンズとの接合レンズより成る。第５レンズ群Ｌ５は、両凹形状の負レンズから成る。第６レンズ群Ｌ６は像側に凹面を向けた負レンズと両凸形状の正レンズとの接合レンズから成る。
【００５０】
実施例２及び実施例３のズームレンズでは、第４レンズ群Ｌ４は、物体側に凸面を向けたメニスカス形状の正レンズと、像側に凹面を向けたメニスカス形状の負レンズと、両凸形状の正レンズと像側に凸面を向けたメニスカス形状の負レンズの接合レンズから成る。第５レンズ群Ｌ５は、両凹形状の負レンズより成る。第６レンズ群Ｌ６は両凸形状の正レンズと、物体側に凹面を向けた負レンズの接合レンズから成る。
【００５１】
実施例４、実施例５のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５から構成されている。
【００５２】
実施例４のズームレンズでは、第４レンズ群Ｌ４は、物体側に凸のメニスカス形状の正レンズと、像側に凹面を向けたメニスカス形状の負レンズと、像側に凹面を向けたメニスカス形状の負レンズと両凸形状の正レンズの接合レンズと、両凹形状の負レンズより成る。第５レンズ群Ｌ５は、物体側に凹面を向けた負レンズと両凸形状の正レンズの接合レンズより成る。
【００５３】
実施例５のズームレンズでは、第４レンズ群Ｌ４は、物体側に凸のメニスカス形状の正レンズと、像側に凹面を向けたメニスカス形状の負レンズと、両凸形状の正レンズと像側に凸面を向けたメニスカス形状の負レンズの接合レンズと、両凹形状の負レンズより成る。第５レンズ群Ｌ５は、両凸形状の正レンズと像側に凸面を向けた負レンズとの接合レンズから成る。
【００５４】
各実施例のズームレンズは図１１に示すように第２レンズ群Ｌ２と第３レンズ群Ｌ３の間に物体側からの光を折り曲げる反射プリズムＰＲを含むことで、容易にカメラの厚さを薄くすることができる。
【００５５】
次に、本発明の実施例１〜５にそれぞれ対応する数値実施例１〜５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。またｋを離心率、Ａ４、Ａ６、Ａ８、Ａ１０を非球面係数、面頂点を基準にして光軸からの高さｈの位置における光軸方向の変位をｘとするとき、非球面形状は、
ｘ＝（ｈ２／Ｒ）／［１＋｛１−（１＋ｋ）（ｈ／Ｒ）２｝１／２］＋Ａ４ｈ４＋Ａ６ｈ６＋Ａ８ｈ８＋Ａ１０ｈ１０
で表される。但しＲは近軸曲率半径である。各数値実施例における上述した条件式との対応を表１に示す。
【００５６】
［数値実施例１］
単位：ｍｍ
面データ
面番号       r        d      nd         νd 
1         48.702    0.85   2.00330    28.3
2         22.510    6.65   1.43875    94.9 
3       -152.022    0.05                   
4         24.050    3.85   1.74400    44.8
5        488.190  (可変)                  
6       -457.939    0.50   1.85135    40.1
7*         7.464    4.34                 
8        -16.387    0.40   1.88300    40.8
9         25.890    0.15                   
10         24.891    2.00   2.10205    16.8
11        -44.080  (可変)                  
12          ∞       8.50   2.00330    28.3
13          ∞       1.00                  
14        -18.365    0.50   1.77250    49.6
15        -31.087  (可変)                  
16*         9.158    1.90   1.55332    71.7
17*     -2178.349    0.50                   
18(絞り)    ∞       3.17                   
19         10.714    0.65   1.88100    40.1 
20          7.570    1.40                   
21         11.494    0.50   1.88300    40.8 
22          7.846    1.95   1.49700    81.5 
23        -58.233    0.65                   
24          ∞     (可変)                   
25        -77.173    0.50   1.88300    40.8 
26         24.730  (可変)                   
27         14.783    0.50   1.77250    49.6 
28          9.278    3.95   1.55332    71.7 
29        -29.911  (可変)                   
30          ∞       0.80   1.51633    64.1
31          ∞       0.50                  
像面        ∞   
非球面データ
第7面
K =-1.45247e-001  A 4=-7.82786e-005  A 6=-1.54198e-006  A 8= 5.23943e-008  A10=-7.86689e-010  
第16面
K = 6.57313e-001  A 4=-1.63431e-004  A 6= 8.93903e-006  A 8= 3.33620e-007
第17面
K = 3.34004e+005  A 4= 1.12690e-004  A 6= 1.19421e-005  A 8= 5.49179e-007
各種データ
ズーム比     44.41 
広角     中間     望遠
焦点距離       4.62    13.02   205.00  
Fナンバー      3.91     6.14     9.00  
画角          36.14    16.58     1.08  
レンズ全長    99.33   103.38   113.64  
BF            12.11    10.81     4.28  
d 5            0.37     7.52    24.26  
d11           10.36     7.26     0.78  
d15           21.79    10.72     0.59  
d24            1.23     8.49     6.37  
d26            8.76    13.86    32.63  
d29           11.08     9.78     3.25  
ズームレンズ群データ
群  始面    焦点距離  
1    1      35.10 
2    6      -7.36 
3   14     -59.10
4   16      15.74
5   25     -21.16 
6   27      21.81
【００５７】
［数値実施例２］
単位：ｍｍ
面データ
面番号       r        d      nd         νd 
1         37.360    0.85   2.00069    25.5
2         22.248    4.95   1.43875    94.9
3       2667.345    0.05                  
4         24.595    2.55   1.80400    46.6 
5        155.530  (可変)                   
6*       185.057    0.50   1.85135    40.1 
7*         6.827    4.42                   
8        -16.956    0.40   1.88300    40.8
9         29.157    0.15                   
10         20.003    2.20   1.95906    17.5
11        -47.441  (可変)                  
12          ∞       8.50   1.80610    33.3
13          ∞       1.00                  
14        -18.442    0.50   1.77250    49.6
15        -28.657  (可変)                   
16*         8.325    1.90   1.55332    71.7
17*      -165.109    0.50                  
18(絞り)    ∞       1.21                 
19         11.058    0.60   1.88100    40.1
20          7.421    1.40                  
21        407.211    1.75   1.49700    81.5 
22         -7.172    0.50   1.88300    40.8 
23        -10.031    0.65                  
24          ∞     (可変)                  
25        -62.841    0.50   1.88300    40.8
26         34.107  (可変)                   
27         19.700    2.30   1.55332    71.7
28        -17.931    0.50   1.77250    49.6
29        -29.645  (可変)                  
30          ∞       0.80   1.51633    64.1
31          ∞       0.44                  
像面        ∞   
非球面データ
第6面
K =-6.01490e+003  A 4= 3.34474e-005  A 6=-1.51686e-006  A 8= 1.20457e-008  A10=-1.32590e-011  
第7面
K =-9.32776e-001  A 4= 1.94764e-004  A 6= 5.95526e-006  A 8=-1.48468e-007  A10= 1.58405e-009  
第16面
K =-6.83175e-001  A 4= 2.79585e-005  A 6= 6.10503e-006  A 8= 4.69690e-008
第17面
K =-4.96978e+003  A 4= 1.81992e-005  A 6= 1.28192e-005  A 8=-1.75048e-007
各種データ
ズーム比     30.16 
広角     中間     望遠
焦点距離       4.64    14.48   140.00  
Fナンバー      3.51     5.39     7.10  
画角          35.99    14.99     1.59  
レンズ全長    86.88    90.89    99.58  
BF            14.01    13.96     4.46  
d 5            0.35     7.85    22.88  
d11           10.39     6.90     0.57  
d15           16.99     5.24     0.24  
d24            1.54    10.11     7.19  
d26            5.44     8.67    26.09  
d29           13.05    12.99     3.49  
ズームレンズ群データ
群  始面    焦点距離  
1    1      34.56 
2    6      -7.48 
3   14     -68.43 
4   16      15.14 
5   25     -24.98 
6   27      24.26 
【００５８】
［数値実施例３］
単位：ｍｍ
面データ
面番号       r        d      nd         νd 
1         45.245    0.85   2.00330    28.3
2         22.305    5.90   1.43875    94.9
3       -251.125    0.05                  
4         23.959    3.55   1.80400    46.6
5        213.126  (可変)                  
6*       205.978    0.50   1.85135    40.1
7*         6.939    4.43                  
8        -16.540    0.40   1.88300    40.8
9         30.126    0.15                  
10         23.596    2.00   2.10205    16.8
11        -51.570  (可変)                  
12          ∞       8.50   1.80610    33.3
13          ∞       1.00                  
14        -13.001    0.50   1.77250    49.6
15        -18.724  (可変)                  
16*         9.194    1.90   1.55332    71.7
17*      -147.030    0.50                  
18(絞り)    ∞       1.24                  
19         11.044    0.60   1.88100    40.1
20          8.019    1.40                  
21        134.475    1.90   1.49700    81.5 
22         -7.336    0.50   1.88300    40.8
23        -10.670    0.65                  
24          ∞     (可変)                  
25        -77.950    0.50   1.88300    40.8
26         26.547  (可変)                  
27         18.613    3.20   1.55332    71.7
28        -12.255    0.50   1.77250    49.6
29        -23.950  (可変)                  
30          ∞       0.80   1.51633    64.1
31          ∞       0.50                  
像面        ∞   
非球面データ
第6面
K =-2.53503e+003  A 4= 8.82909e-005  A 6=-2.03879e-006  A 8= 5.93855e-010  A10= 1.04615e-010  
第7面
K =-7.06230e-001  A 4= 1.97596e-004  A 6= 2.55012e-006  A 8=-6.68249e-008  A10=-1.42955e-009  
第16面
K =-2.83894e-001  A 4=-4.16756e-006  A 6= 8.50455e-006  A 8= 1.24111e-007
第17面
K =-9.47143e+001  A 4= 1.55082e-004  A 6= 9.29921e-006  A 8= 1.29244e-007
各種データ
ズーム比     36.64 
広角     中間     望遠
焦点距離       4.64    14.08   170.00  
Fナンバー      3.62     5.38     7.10  
画角          36.00    15.39     1.31  
レンズ全長    92.76    96.85   106.23  
BF            13.65    13.60     4.58  
d 5            0.35     7.75    23.48  
d11           10.23     6.91     0.56  
d15           18.51     6.75     0.26  
d24            2.31    10.40     6.18  
d26            6.73    10.44    30.17  
d29           12.62    12.57     3.55  
ズームレンズ群データ
群  始面    焦点距離 
1    1      34.54
2    6      -7.52
3   14     -57.25
4   16      15.21
5   25     -22.38
6   27      23.20
【００５９】
［数値実施例４］
単位：ｍｍ
面データ
面番号       r        d      nd         νd 
1         48.389    0.85   2.00330    28.3
2         22.511    6.65   1.43875    94.9
3       -149.842    0.05                  
4         24.003    3.85   1.74400    44.8
5        465.143  (可変)                  
6       -256.522    0.50   1.85135    40.1
7*         7.602    4.20                  
8        -16.847    0.40   1.88300    40.8
9         27.409    0.15                  
10         25.939    2.00   2.10205    16.8
11        -41.028  (可変)                  
12          ∞       8.50   2.00330    28.3
13          ∞       1.00                  
14        -18.360    0.50   1.77250    49.6
15        -31.040  (可変)                  
16*         9.173    1.90   1.55332    71.7
17*     -2058.714    0.50                  
18(絞り)    ∞       2.26                  
19         10.728    0.65   1.88100    40.1 
20          7.584    1.40                 
21         11.281    0.50   1.88300    40.8
22          7.931    1.95   1.49700    81.5
23        -39.786    0.65                  
24          ∞       2.00                  
25        -69.516    0.50   1.88300    40.8
26         24.143  (可変)                  
27         15.637    0.50   1.77250    49.6
28          9.752    3.50   1.55332    71.7
29        -35.945  (可変)                 
30          ∞       0.80   1.51633    64.1
31          ∞       0.50                  
像面        ∞   
非球面データ
第7面
K =-1.08157e-001  A 4=-1.05811e-004  A 6=-1.65146e-007  A 8=-1.42280e-008  A10=-1.33930e-010  
第16面
K = 3.24025e-001  A 4=-1.10408e-004  A 6= 1.16455e-005  A 8= 3.82088e-007
第17面
K = 3.02547e+005  A 4= 1.15022e-004  A 6= 1.30951e-005  A 8= 6.25706e-007
各種データ
ズーム比     44.20 
広角     中間     望遠
焦点距離       4.64    11.71   205.00  
Fナンバー      3.91     5.36     9.00  
画角          36.01    18.31     1.08  
レンズ全長    98.72   102.61   113.05  
BF             9.70    20.85     4.30  
d 5            0.39     7.27    24.18  
d11           10.06     7.07     0.60  
d15           23.96     9.39     0.29  
d26            9.37    12.79    38.44  
d29            8.67    19.83     3.28  
ズームレンズ群データ
群  始面    焦点距離 
1    1      34.92
2    6      -7.72
3   14     -59.20
4   16      20.28
5   27      24.11
【００６０】
［数値実施例５］
単位：ｍｍ
面データ
面番号       r        d      nd         νd 
1         36.776    0.85   2.00069    25.5
2         22.110    4.95   1.43875    94.9
3       1351.311    0.05                  
4         24.652    2.55   1.80400    46.6
5        157.681  (可変)                  
6*       228.980    0.50   1.85135    40.1
7*         6.782    4.42                  
8        -17.023    0.40   1.88300    40.8
9         29.583    0.15                 
10         20.003    2.20   1.95906    17.5
11        -47.260  (可変)                 
12          ∞       8.50   1.80610    33.3
13          ∞       1.00                  
14        -19.436    0.50   1.77250    49.6
15        -28.791  (可変)     
16*         8.252    1.90   1.55332    71.7
17*      -181.321    0.50      
18(絞り)    ∞       1.21       
19         11.131    0.60   1.88100    40.1 
20          7.440    1.40       
21        249.542    1.75   1.49700    81.5
22         -7.343    0.50   1.88300    40.8
23        -10.222    0.65     
24          ∞       2.67    
25        -66.991    0.50   1.88300    40.8
26         40.302  (可変)    
27         19.599    2.30   1.55332    71.7
28        -21.072    0.50   1.77250    49.6
29        -47.867  (可変)     
30          ∞       0.80   1.51633    64.1
31          ∞       0.50     
像面        ∞   
非球面データ
第6面
K =-1.22295e+004  A 4= 3.57110e-005  A 6=-1.59013e-006  A 8= 1.07047e-008  A10= 4.38915e-012
第7面
K =-8.44791e-001  A 4= 1.56920e-004  A 6= 6.70337e-006  A 8=-1.67386e-007  A10= 1.34759e-009
第16面
K =-6.79751e-001  A 4= 5.82769e-006  A 6= 7.65461e-006  A 8= 3.00753e-008
第17面
K =-5.77904e+003  A 4= 9.92798e-006  A 6= 1.45266e-005  A 8=-2.27070e-007
各種データ
ズーム比     30.18 
広角     中間     望遠
焦点距離       4.64    11.46   140.00
Fナンバー      3.51     4.90     6.89
画角          36.01    18.69     1.59
レンズ全長    85.69    88.33    99.76
BF            11.60    19.63     4.56
d 5            0.35     5.96    23.06
d11            9.22     6.25     0.57
d15           18.96     7.19     0.24
d26            4.74     8.48    30.50
d29           10.57    18.60     3.53
ズームレンズ群データ
群  始面    焦点距離
1    1      34.47
2    6      -7.44
3   14     -79.28
4   16      19.22
5   27      29.72 
【００６１】
【表１】
2014109664.tif 000003
【００６２】
次に、本発明のズームレンズを撮影光学系として用いたデジタルスチルカメラの実施例について図１２を用いて説明する。図１２において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記憶するメモリである。２４は液晶ディスプレイパネル等によって構成され、固体撮像素子２２上に形成された被写体像を観察するためのファインダである。
【符号の説明】
【００６３】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＳＰ  開口絞り
ＦＰ  フレアカット絞り
Ｇ  フェースプレートやローパスフィルター等のガラスブロック
ＩＰ  像面
ＰＲ  反射プリズム
ｄ  ｄ線
ｇ  ｇ線
Ｓ  サジタル像面
Ｍ  メリディオナル像面
ω  半画角
Ｆｎｏ  Ｆナンバー
【図１】
2014109664.tif 000004
【図２】
2014109664.tif 000005
【図３】
2014109664.tif 000006
【図４】
2014109664.tif 000007
【図５】
2014109664.tif 000008
【図６】
2014109664.tif 000009
【図７】
2014109664.tif 000010
【図８】
2014109664.tif 000011
【図９】
2014109664.tif 000012
【図１０】
2014109664.tif 000013
【図１１】
2014109664.tif 000014
【図１２】
2014109664.tif 000015